(57)【特許請求の範囲】
【請求項１】
フック部と本体部とを備える衣服用ハンガーであって、
前記本体部は、
プラスチック樹脂によって形成され、断面が所定の直径を有する円柱状部材で構成され、
前記円柱状部材は、前記フック部が固定される中心部と、前記中心部に対して対称に形成される一対の肩支持部を有し、
前記円柱状部材の外側の輪郭は、正面視において、前記中心部が前記肩支持部に対して突出することなく、前記中心部と一対の前記肩支持部が所定の曲率半径を有する円弧を形成しており、
前記円弧の長さを規定する中心角は、鈍角または１８０度として規定されており、
前記円弧の曲率半径は、前記中心角における前記円弧の長さが所定サイズの衣服の背肩幅よりも長い所定範囲の長さとなる所定の半径として規定されており、
前記円柱状部材の内側において、前記円弧に沿って、一方の前記肩支持部の端部近傍から、他方の前記肩支持部の端部近傍を結ぶ空間部が形成されており、
前記円柱状部材の全体にわたって、前記空間部の上方の壁の厚さは、前記空間部の下方の壁の厚さよりも大きく構成されており、
前記空間部を画する内壁面は、前記中心部に対応する領域において、前記空間部に向かって下方に突出する突出面を有し、
前記突出面は、前記突出面の形成工程において、前記円柱状部材を形成するための部材とは別個の部材によって形成されたものではない、
衣服用ハンガー。
【請求項２】
正面視において、前記円柱状部材の外側表面における接線の方向は、前記肩支持部の端部において、鉛直方向、または、鉛直方向と所定の許容範囲だけ乖離した方向である、
請求項１に記載の衣服用ハンガー。
【請求項３】
前記円柱状部材の前記所定の直径（Ｄ１）の前記所定の曲率半径（Ｒ１）に対する割合Ａ１（Ｄ１／Ｒ１）は、所定の数値以上における所定範囲において規定されている、
請求項１または請求項２に記載の衣服用ハンガー。
【請求項４】
前記円弧の前記曲率半径は、前記中心部を含む領域における曲率半径である第一曲率半径と、前記肩支持部の端部を含む領域における曲率半径である第二曲率半径とで構成され、
前記第一曲率半径が前記鈍角であり、
前記第一曲率半径は、前記第二曲率半径よりも所定の許容範囲だけ大きい半径として規定されている、
請求項１乃至請求項３のいずれかに記載の衣服用ハンガー。
【請求項５】
前記円弧は楕円であり、前記楕円の長径は、前記楕円の短径よりも所定の許容範囲だけ大きい半径として規定されている、
請求項１乃至請求項３のいずれかに記載の衣服用ハンガー。
【請求項６】
フック部が固定される中心部と、前記中心部に対して対称に形成される一対の肩支持部によって構成される本体部を有する衣服用ハンガーの製造方法であって、
金型によって形成される前記本体部の正面視の輪郭である円弧状のキャビティの中心部にフック部の軸部に対応する軸対応部材を配置した状態において、前記金型における双方の肩支持部の端部近傍に対応する部分から、前記中心部に向かってプラスチック樹脂を吐出してパリソンを形成し、双方の前記パリソンを前記中心部において一体化する吐出工程と、
前記キャビティに吐出した前記プラスチック樹脂が固化する前に、前記金型における双方の肩支持部の端部近傍に対応する部分から、前記プラスチック樹脂に大気圧よりも高い圧力を有する気体を通過させ、前記プラスチック樹脂を前記キャビティに押しつけ、一方の前記肩支持部の端部近傍から、前記中心部を通過し、他方の肩支持部の端部近傍へ向かう空間部を形成するブロー工程と、
を有し、
前記中心部は前記肩支持部に対して突出しないように形成され、
前記空間部の上方の壁の厚さは、前記空間部の下方の壁の厚さよりも大きく形成され、
前記吐出工程において、双方の前記パリソンが前記軸対応部材を覆い、
前記空間部を画する内壁面は、前記軸対応部材が位置する領域において、前記空間部に向かって突出する突出面を有するように形成される、
衣服用ハンガーの本体部の製造方法。
【請求項７】
前記プラスチック樹脂を吐出する樹脂吐出管の内側に、気体を吐出する気体吐出管が配置され、
前記気体吐出管の中心位置は、前記樹脂吐出管の内周壁に偏った位置に配置されており、
前記吐出工程において、前記パリソンが形成されるときに、前記パリソンに予備空間が形成され、前記双方の前記パリソンが一体化するときに、前記双方の前記パリソンの前記予備空間も一体化し、
前記ブロー工程において、前記予備空間に気体が通過させられる、
請求項６に記載の衣服用ハンガーの製造方法。
【発明の詳細な説明】
【技術分野】
【０００１】
本発明は、衣服用ハンガー及び衣服用ハンガーの製造方法に関する。
【背景技術】
【０００２】
従来、百貨店などで使用される高級なハンガーは木製であるが、安価なハンガーとして、樹脂製のハンガーが使用されている（例えば、特許文献１）。
【先行技術文献】
【特許文献】
【０００３】
【特許文献１】特許５５４４５９０号公報
【発明の概要】
【発明が解決しようとする課題】
【０００４】
衣服用のハンガーの基本的な機能は、衣服のしわや型崩れを防ぎつつ、視認容易な態様で保管することである。また、衣服を展示販売するブティックや百貨店など（以下、「店舗」という。）においては、衣服をハンガーに吊るしたときの全体としての外観が、買い物客を惹きつけ、販売に影響を与える重要な要素である。【０００５】
一般的に、衣服用のハンガーとして、一塊の木材からハンガー全体を削り出して製造する、いわゆる「一本物」が最も高級であるとされている。ところが、「一本物」は、材料を効率的に使用することができず、また、極めて高価である。さらに、「一本物」は、上述の樹脂製のハンガーに比べて重量が重いという問題がある。【０００６】
これに対して、上述の樹脂製のハンガーは、相応の解決策を示している。例えば、図４５に示す従来の樹脂製のハンガー５００は、本体部５１０とフック部５２０から構成される。本体部５１０は、樹脂を材料として、形成されている。本体部５１０の上面の長さＳＨＬは、型崩れ防止の観点から、衣服３００の背肩幅ＳＬと実質的に等しいものが望ましい。背肩幅とは、人間の右のショルダーポイント（肩の先にある骨）から、バックネックポイントを通り、左のショルダーポイントまでの距離であり、衣服においても同様の意味である。【０００７】
ところで、ニット素材を使って作られる衣服、例えば、セーターは、伸びやすいという性質がある。このため、型崩れを防止するために、セーターは、ハンガーに吊るすのではなく、折りたたんで収納される場合がある。ここで、ニットとは、１本の糸でループを作りながら編まれた生地を意味する。衣服を展示販売するブティックや百貨店などにおいては、衣服をハンガーに吊るすことによって、買い物客が、衣服を手に取らなくても、デザインを認識することができるようにしている。このため、セーターもハンガーに吊るして展示することが望ましい。しかし、図４５に示す衣服３００を一般的なハンガー５００に吊るすと、図４６に示すように、例えば、衣服３００の肩の部分３００ｃが、腕部３００ｂに作用する重力Ｇ３によって下方に引っ張られ、伸びるため、型崩れが生じるという問題がある。衣服３００は、ニット素材を使って作られる衣服である。また、衣服には、一般的に、例えば、Ｓサイズ、Ｍサイズ、Ｌサイズというように所定サイズがある。ところが、Ｓサイズの衣服であっても、実際の衣服の肩背幅は様々であり、特定の長さが規定されているのではないから、ハンガー５００の端部が衣服３００の肩の部分３００ｃに当接するとは限らない。そうすると、衣服３００の肩の部分３００ｃ以外の部分において型崩れが生じるという問題がある。また、樹脂製のハンガーは、石油由来の材料を使用するため、環境への影響が大きいという問題がある。【０００８】
本発明はかかる問題の解決を試みたものであり、ニット製の素材で作られる衣服を吊るしても、型崩れしにくく、かつ、環境へ与える影響を低減することができる、衣服用ハンガー及び衣服用ハンガーの製造方法を提供することを目的とする。
【課題を解決するための手段】
【０００９】
第一の発明は、フック部と本体部とを備える衣服用ハンガーであって、前記本体部は、プラスチック樹脂によって形成され、断面が所定の直径を有する円柱状部材で構成され、前記円柱状部材は、前記フック部が固定される中心部と、前記中心部に対して対称に形成される一対の肩支持部を有し、前記円柱状部材の外側の輪郭は、正面視において、前記中心部が前記肩支持部に対して突出することなく、前記中心部と一対の前記肩支持部が所定の曲率半径を有する円弧を形成しており、前記円弧の長さを規定する中心角は、鈍角または１８０度として規定されており、前記円弧の曲率半径は、前記中心角における前記円弧の長さが所定サイズの衣服の背肩幅よりも長い所定範囲の長さとなる所定の半径として規定されており、前記円柱状部材の内側において、前記円弧に沿って、一方の前記肩支持部の端部近傍から、他方の前記肩支持部の端部近傍を結ぶ空間部が形成されており、前記円柱状部材の全体にわたって、前記空間部の上方の壁の厚さは、前記空間部の下方の壁の厚さよりも大きく構成されており、前記空間部を画する内壁面は、前記中心部に対応する領域において、前記空間部に向かって下方に突出する突出面を有する、衣服用ハンガーである。【００１０】
本発明の発明者は、ニット素材の衣服において、ハンガーに吊るした場合に型崩れする原因を研究した。この結果、衣服に作用する力が大きく変動する位置において、型崩れが生じることを見出した。例えば、図４６に示すように、一般的なハンガー５００に吊るされる衣服３００において、ハンガー５００の端部を境に、作用する力が大きく変動する。例えば、衣服３００の肩部３００ｃの上方であって、本体部５１０の上面５１０ａに接している部分３００ｃ１において、その部分に作用する重力Ｇ２の接線方向の分力Ｇｓ２が作用する。これに対して、上面５１０ａよりも下方の面に接する部分３００ｃ２には、腕部３００ｂに作用する重力Ｇ３の接線方向の分力Ｇｓ３が作用する。分力Ｇｓ３は分力Ｇｓ２よりも大きい。そして、衣服３００が本体部５１０の端部を離れると、衣服の腕の部分の重力が作用する。このように、肩部３００ｃの近傍という狭い領域において、ハンガー５００の端部を境に、作用する力が大きく変動する。したがって、衣服３００がニット素材で形成されている場合には、ハンガー５００の端部に接する部分の近傍において型崩れが生じる。本明細書において、衣服に作用する力が大きく変動する位置を「特異位置」と呼ぶ。ハンガーの端部において衣服の肩の部分を支えるという従来の一般的なハンガーの場合には、必ず特異位置が存在し、型崩れが生じる。これに対して、本発明の発明者は、ハンガーの端部において衣服の肩の部分を支えるという従来の思想を脱却し、特異位置を有さないハンガーという技術思想に想到した。この点、第一の発明の構成によれば、本体部の正面視における輪郭は、突出部を有さない円弧を形成しており、円弧の長さを規定する中心角は鈍角であり、曲率半径は、円弧が所定サイズの衣服の背肩幅よりも長い所定範囲の長さとなるように規定されている。すなわち、本体部の正面視における輪郭は半円に近く、正面視における本体部の外側の接線の方向は、徐々に鉛直方向に近くなる。このため、ハンガーに吊るされた衣服に作用する力は、ハンガーの中心部近傍においては相対的に衣服に作用する重力に対する反力が大きいが、ハンガーの端部に向かうにつれて徐々に小さくなり、ハンガーの端部を離れると、反力は存在しなくなる。これにより、特異位置が存在しない構成を実現し、型崩れを防止することに成功した。また、本体部は、円柱状部材で構成されているから、正面視と直行する方向においても、衣服に作用する重力に対する反力は徐々に小さくなるから、特異位置は存在しない。しかも、円柱状部材の断面が所定の直径を有し、ハンガーの正面視が円弧状に形成されていることによって、ハンガーの中心部から端部の方向に向かう一定の位置まで、鉛直方向において、衣服とハンガーの接触面積が大きくなるから、衣服に作用する重力を分散することができ、また、衣服がハンガーの表面を滑ることを防止することができる。さらに、本体部が突出部を有さない円柱状形状であり、かつ、一方の肩支持部の端部近傍から他方の肩支持部の端部近傍に向かう空間部が形成されているから、空間部が形成されていない場合に比べて、本体部は大きな弾性を有し、衣服に何らかの外力が作用しても吸収することができる。そして、衣服を直接的に支持する空間部の上方の壁の厚さは、空間部の下方の壁の厚さよりも大きく構成されているから、強度を確保することができる。また、空間部を画する内壁面は、中心部に対応する領域において、空間部に向かって下方に突出する突出面を有するから、全体としての円弧の形状を維持しつつ、突出面に対応する壁部にフックを強固に固定することができる。さらに、所定の直径を有する円柱形状の本体部であっても、空間部の存在によって、プラスチック樹脂の使用量を減少しており、環境へ与える負荷を低減することができる。【００１１】
第二の発明は、第一の発明の構成において、正面視において、前記円柱状部材の外側表面における接線の方向は、前記肩支持部の端部において、鉛直方向、または、鉛直方向と所定の許容範囲だけ乖離した方向である、衣服用ハンガーである。【００１２】
第二の発明の構成によれば、肩支持部の端部において、円柱状部材の外側表面における接線の方向は、鉛直方向または鉛直方向に近い方向である。このため、肩支持部の端部において、衣服に作用する重力の接線方向の分力は重力に近く、肩支持部の端部を離れた衣服の腕部には重力のみが作用する。このため、肩支持部の端部は特異位置とはならず、型崩れは生じない。【００１３】
第三の発明は、第一の発明または第二の発明の構成において、前記円柱状部材の前記所定の直径（Ｄ１）の前記所定の曲率半径（Ｒ１）に対する割合Ａ１（Ｄ１／Ｒ１）は、所定の数値以上における所定範囲において規定されている、衣服用ハンガーである。【００１４】
衣服の主面（前身頃及び後ろ見頃）の外側へ向かう方向への型崩れとは別に、衣服の主面と直交する方向（前身頃と後ろ見頃を結ぶ方向。以下、「直行方向」という。）においても型崩れ生じる。この点、第三の発明の構成によれば、円柱状部材の直径（Ｄ１）は、本体部の曲率半径（Ｒ１）との関係において、所定の大きさ以上の所定の範囲において規定されている。このため、直交方向においても、衣服に作用する重力に対する反力は徐々に小さくなるから、特異位置は存在しない。しかも、円柱状部材の断面が所定の直径を有し、ハンガーの正面視が円弧状に形成されていることによって、ハンガーの中心部から端部の方向に向かう一定の位置まで、鉛直方向において、衣服とハンガーの接触面積が大きくなるから、衣服に作用する重力を分散することができ、また、衣服がハンガーの表面を滑ることを防止することができる。【００１５】
第四の発明は、第一の発明乃至第三のいずれかの発明の構成において、前記円弧の前記曲率半径は、前記中心部を含む領域における曲率半径である第一曲率半径と、前記肩支持部の端部を含む領域における曲率半径である第二曲率半径とで構成され、前記第一曲率半径が前記鈍角であり、前記第一曲率半径は、前記第二曲率半径よりも所定の許容範囲だけ大きい半径として規定されている、衣服用ハンガーである。【００１６】
第四の発明の構成によれば、衣服が本体部と接する面積のうち大きな部分が、本体部における相対的に曲率半径が大きい部分と接するから、衣服の大きな面積において、作用する力の変動を一層に小さくすることができる。そして、第一曲率半径は、第二曲率半径よりも所定の許容範囲だけ大きい半径に限定されているから、第一曲率半径に対応する部分と第二曲率半径に対応する部分の間においても、衣服に作用する力は大きく変動することはなく、特異位置は存在しない。【００１７】
第五の発明は、第一の発明乃至第三のいずれかの発明の構成において、前記円弧は楕円であり、前記楕円の長径は、前記楕円の短径よりも所定の許容範囲だけ大きい半径として規定されている、衣服用ハンガーである。【００１８】
第五の発明の構成によれば、円弧の曲率半径の変化が滑らかであるから、特異位置は存在しない。【００１９】
第六の発明は、衣服用ハンガーの本体部の製造方法であって、金型によって形成される前記本体部の正面視の輪郭である円弧状のキャビティの中心部に、フック部の軸部に対応する軸対応部材を配置した状態において、前記金型における双方の肩支持部の端部近傍に対応する部分から、前記中心部に向かってプラスチック樹脂を吐出してパリソンを形成し、双方の前記パリソンを前記中心部において一体化する吐出工程と、前記キャビティに吐出した前記プラスチック樹脂が固化する前に、前記金型における双方の肩支持部の端部近傍に対応する部分から、前記プラスチック樹脂に大気圧よりも高い圧力を有する気体を通過させ、前記プラスチック樹脂を前記キャビティに押しつけ、一方の前記肩支持部の端部近傍から、前記中心部を通過し、他方の肩支持部の端部近傍へ向かう空間部を形成するブロー工程と、を有し、前記空間部の上方の壁の厚さは、前記空間部の下方の壁の厚さよりも大きく形成され、前記空間部を画する内壁面は、前記軸対応部材が位置する領域において、前記空間部に向かって突出する突出面を有するように形成される、衣服用ハンガーの製造方法である。【００２０】
第六の発明の構成によれば、金型における双方の肩支持部の端部近傍に対応する部分から、キャビティの中心部に向かってプラスチック樹脂を吐出し、双方のパリソンを中心部において一体化し、その後、ブロー工程を実施するから、外部及び空間部を含む内部の双方において、左右均一な構造を形成することができる。【００２１】
第七の発明は、第六の発明の構成において、前記プラスチック樹脂を吐出する樹脂吐出管の内側に、気体を吐出する気体吐出管が配置され、前記気体吐出管の中心位置は、前記樹脂吐出管の内周壁に偏った位置に配置されており、前記吐出工程において、前記パリソンが形成されるときに、前記パリソンに予備空間が形成され、前記双方の前記パリソンが一体化するときに、前記双方の前記パリソンの前記予備空間も一体化し、前記ブロー工程において、前記予備空間に気体が通過させられる、衣服用ハンガーの製造方法である。
【発明の効果】
【００２２】
本発明によれば、ニット製の素材で作られる衣服を吊るしても、型崩れしにくく、かつ、環境へ与える影響を低減することができる。
【図面の簡単な説明】
【００２３】
【図１】本発明の第一の実施形態に係る衣服用ハンガーの正面図である。
【図２】衣服用ハンガーの背面図である。
【図３】衣服用ハンガーの平面図である。
【図４】衣服用ハンガーの底面図である。
【図５】衣服用ハンガーの右側面図である。
【図６】衣服用ハンガーの左側面図である。
【図７】衣服用ハンガーの外側の輪郭を説明するための図である。
【図８】衣服用ハンガーに衣服を吊るす直前の状態を示す図である。
【図９】衣服用ハンガーに衣服が吊るされた状態を示す図である。
【図１０】衣服用ハンガーの内部構造を示す概略正面図である。
【図１１】図１０の衣服用ハンガーのＤＤ線概略断面図である。
【図１２】図１０の衣服用ハンガーのＥＥ線概略断面図である。
【図１３】本体部を形成するための金型の内部を示す概略図である。
【図１４】樹脂吐出部及び気体吐出部を示す概念図である。
【図１５】図１４のＦＦ線概略断面図である。
【図１６】本体部の製造工程を示す概略図である。
【図１７】本体部の製造工程を示す概略図である。
【図１８】本体部の製造工程を示す概略図である。
【図１９】本体部の製造工程を示す概略図である。
【図２０】樹脂の吐出工程を示す概念的な斜視図である。
【図２１】樹脂の吐出工程を示す概念的な斜視図である。
【図２２】樹脂の吐出工程を示す正面から視た概念的な断面図である。
【図２３】樹脂の吐出工程を示す正面から視た概念的な断面図である。
【図２４】樹脂の吐出工程を示す正面から視た概念的な断面図である。
【図２５】樹脂の吐出工程を示す正面から視た概念的な断面図である。
【図２６】ブロー工程を示す正面から視た概念的な断面図である。
【図２７】図２２のＧＧ線概略断面図である。
【図２８】樹脂の吐出工程を示す概略断面図である。
【図２９】樹脂の吐出工程を示す概略断面図である。
【図３０】樹脂の吐出工程を示す概略断面図である。
【図３１】本体部の製造工程を示す概略フローチャートである。
【図３２】本発明の第二の実施形態に係る衣服用ハンガーの正面図である。
【図３３】衣服用ハンガーの背面図である。
【図３４】衣服用ハンガーの右側面図である。
【図３５】衣服用ハンガーの左側面図である。
【図３６】衣服用ハンガーの外側の輪郭を説明するための図である。
【図３７】衣服用ハンガーに衣服を吊るす直前の状態を示す図である。
【図３８】衣服用ハンガーに衣服が吊るされた状態を示す図である。
【図３９】本発明の第三の実施形態に係る衣服用ハンガーの正面図である。
【図４０】衣服用ハンガーの外側の輪郭を説明するための図である。
【図４１】衣服用ハンガーに型崩れした衣服を吊るす直前の状態を示す図である。
【図４２】衣服用ハンガーに型崩れした衣服が吊るされた状態を示す図である。
【図４３】型崩れした衣服が修復された状態を示す図である。
【図４４】本発明の実施品を示す図である。
【図４５】従来の衣服用ハンガー及びセーターの一例を示す図である。
【図４６】従来の衣服用ハンガーにセーターが吊るされた状態を示す図である。
【発明を実施するための形態】
【００２４】
以下、本発明を実施するための形態（以下、実施形態）について詳細に説明する。以下の説明においては、同様の構成には同じ符号を付し、その説明を省略又は簡略する。なお、当業者が適宜実施できる構成については説明を省略し、本発明の基本的な構成についてのみ説明する。
【００２５】
＜第一の実施形態＞
図１乃至図６に示すように、衣服用ハンガー１（以下、「ハンガー１」という。）は、フック部１０と本体部２０で構成されている。本体部２０は、プラスチック樹脂によって、その断面が所定直径Ｄ１を有する円柱状部材として形成されている。本体部２０は、中心部２０ａと、中心部２０ａに対して対称（線対称）に形成される肩支持部２０ｂ，２０ｂがプラスチック樹脂によって、合わせ目を有さない単一の部材として、一体として形成されている。フック部１０は、中心部２０ａに固定される。本明細書において、「上方」及び「下方」とは、ハンガー１が棒状部材等に吊るされた状態における上方及び下方を意味するものとする。また、ハンガー１の一方の肩支持部２０ｂから他方の肩支持部２０ｂを結ぶ方向を長手方向と呼ぶ。上方から下方へ向かう方向を「鉛直方向」と呼ぶ。鉛直方向と直交する方向を「直交方向」と呼ぶ。「上方」、「下方」及び「直交方向」は、ハンガーを製造するための金型のキャビティにおいても同様とする。
【００２６】
本体部２０を形成するプラスチック樹脂は、射出成型及び／またはブロー成型が可能な樹脂であり、例えば、ポリプロピレン（ｐｏｌｙｐｒｏｐｙｌｅｎｅ）である。本体部２０は、例えば、インジェクションブロー成型によって形成される。フック部１０は金属で形成されている。本体部２０の表面は、滑り抵抗係数（Ｃ．Ｓ．Ｒ．：Ｃｏｅｆｆｉｃｉｅｎｔ  ｏｆ  Ｓｌｉｐ  Ｒｅｓｉｓｔａｎｃｅ）」が大きい材料で覆われている。そのような材料は、例えば、天然ゴムや合成ゴムである。
【００２７】
＜＜ハンガー１の外面構成＞＞
本体部２０の外側の輪郭は、図１に示す正面視において、中心部２０ａが肩支持部２０ｂ，２０ｂに対して突出することなく、中心部２０ａと肩支持部２０ｂ，２０ｂが所定の曲率半径を有する円弧を形成している。以下、図７を参照して、本体部２０の正面視における外側の輪郭について詳細に説明する。
【００２８】
本体部２０の外側の輪郭は、円弧状に形成されている。詳細には、図７に示すように、中心点Ｑ１、曲率半径Ｒ１の円弧である。本体部２０の外側の輪郭の長さ、すなわち、円弧の長さは、曲率半径Ｒ１とその中心角θ１によって規定される。中心角θ１は鈍角または１８０度として規定されている。中心角θ１は、例えば、１００度以上１８０度以下であり、望ましくは、１５０度以上１８０度以下であり、さらに望ましくは、１６５度以上１８０度以下であり、さらに望ましくは１７０度以上１８０度以下である。本実施形態において、中心角は１８０度である。中心角θ１が１８０度に近いほど、本体部２０の端部の外側における接線の方向が鉛直になり、望ましい。
【００２９】
本体部２０の肩支持部２０ｂの端部２０ｅにおける接線ｅＬの方向は、鉛直方向、または、鉛直方向と所定の許容範囲だけ乖離した方向である。所定の許容範囲は、例えば、０度以上１５度以下であり、望ましくは、０度以上１０度以下であり、さらに望ましくは、０度以上５度以下である。本実施形態において、本体部２０の端部２０ｅにおける接線ｅＬの方向は鉛直方向である。
【００３０】
本体部２０の円弧の曲率半径Ｒ１は、中心角θ１における外側の輪郭の円弧の長さが、所定サイズの衣服の背肩幅よりも長い所定範囲の長さとなる所定半径として規定されている。所定サイズは、例えば、衣服の着用者の性別や身長に応じて、衣服の製造者によって決められている寸法であり、例えば、Ｓサイズ、Ｍサイズ、Ｌサイズという区分がある。所定サイズの衣服の背肩幅を背肩幅ＳＬとすれば、本体部２０の円弧の長さは、例えば、背肩幅ＳＬの１．１倍以上２．５倍以下であり、望ましくは、１．２倍以上２倍以下であり、さらに望ましくは、１．３倍以上１．７倍以下である。本実施形態において、衣服３００の肩背幅ＳＬ（図８参照）は３８センチメートル（ｃｍ）とする。
【００３１】
本実施形態において、所定半径としての曲率半径Ｒ１は１９センチメートル（ｃｍ）である。本体部２０の円弧は、中心点Ｑ１、半径Ｒ１の円Ｃ１において、中心角１８０度に対応する部分であるから、本体部２０の円弧の長さは５９．６６センチメートルである。すなわち、円弧の長さは、背肩幅ＳＬの１．５７倍である。これにより、衣服３００をハンガー１に吊るした場合に、衣服の肩部は本体部２０の円弧の部分に当接する。
【００３２】
本体部２０の直径Ｄ１（図１参照）は、曲率半径Ｒ１との関係において規定されている。すなわち、直径Ｄ１の曲率半径Ｒ１に対する割合Ａ１（Ｄ１／Ｒ１）が、所定の数値以上における所定範囲において規定されている。直径Ｄ１が大きいほど、本体部２０において衣服３００に接する面が大きくなるから、衣服３００に作用する重力を分散することができるという利点があるが、プラスチック樹脂の使用量が多くなり、環境への負荷が大きくなる。そのため、本発明の発明者は、実験によって、直交方向における型崩れが発生しにくい直径Ｄ１を調査し、直径Ｄ１を規定した。所定の数値は、例えば、０．０８であり、望ましくは、０．１０であり、さらに望ましくは０．１２である。所定の数値範囲は、例えば、０．０８以上０．２２以下であり、望ましくは、０．１０以上０．１６以下であり、さらに望ましくは、０．１２以上０．１４以下である。本実施形態において、直径Ｄ１は、２５ミリメートル（ｍｍ）である。曲率半径Ｒ１は１９センチメートルであるから、割合Ａ１（Ｄ１／Ｒ１）は、０．１３である。
【００３３】
図７において、本体部２０の鉛直方向の断面として、ＡＡ線断面、ＢＢ線断面及びＣＣ線断面が示されている。本体部２０の内部には、後述のように空間Ｓ１が形成されている。本体部２０は、図７に示すように、正面視において円弧状に形成されているから、鉛直方向の断面は、円弧の最も高い部分であるフック部１０が接続されている位置においては、円形であり、ＡＡ線断面、ＢＢ線断面及びＣＣ線断面が示すように、端部に向かうほど、細長い楕円になる。衣服をハンガー１に吊るすと、楕円の輪郭のうち、上方の半分の部分、すなわち、ＡＡ線断面、ＢＢ線断面及びＣＣ線断面のうち、点線よりも上方の部分衣服が当接する。本体部２０の鉛直方向の断面は、長手方向における位置として位置２０ｚまでは、端部２０ｅに向かうほど大きくなる。
【００３４】
以下、図８及び図９を参照して、ハンガー１が棒状部材に吊り下げられた状態において、衣服３００がハンガー１に吊るされる状態を説明する。図８及び図９において、ハンガー１は点線で示されている。図８に示すように、衣服３００の内側にハンガー１が配置され、図９に示すように、衣服３００がハンガー１に吊るされる。上述のように、本体部２０の外側の輪郭の円弧の長さは、衣服３００の肩背幅ＳＬよりも長いから、肩部３００ｃは本体部２０の外側の表面に接する。肩部３００ｃにおいて、作用する重力及び反力が大きく変動する特異位置はないから、型崩れは生じない。また、本体部２０の外側の端部２０ｅにおける接線は鉛直方向であるから、当該衣服３００の部分に作用する重力の接線方向の分力は腕部３００ｂの重力にほぼ等しく、端部２０ｅのわずかに下に位置する衣服３００の部分において、作用するのは腕部３００ｂの重力だけである。したがって、端部２０ｅにおいて、作用する力が大きく変動することはないから、端部２０ｅは特異位置ではなく、衣服３００は型崩れしにくい。
【００３５】
ハンガー１に吊るされた衣服３００に作用する力について、説明を補充する。図９に示すように、衣服３００の全体として、重力Ｇ１が作用するとする。衣服３００において、本体部２０と接する部分を上方から下方に向かって、位置３００ｆ、３００ｃ、３００ｄ及び３００ｅとする。位置３００ｆは、衣服３００が本体部２０と接する最上部である。位置３００ｅは、衣服３００が本体部２０の端部２０ｅと接する最下部である。位置３００ｇは、衣服３００が本体部２０と接触せず、単にぶら下がっている位置である。
【００３６】
衣服３００は、ハンガー１に吊るされると、本体部２０の円弧形状に沿う。位置３００ｆ、３００ｃ、３００ｄ及び３００ｅにおける衣服３００の接線を、それぞれ、接線３００ｆＬ、３００ｃＬ，３００ｄＬ及び３００ｅＬとする。位置３００ｆ、３００ｃ、３００ｄ及び３００ｅにおいて作用する衣服３００の重力を、それぞれ、重力Ｇｆ，Ｇｃ，Ｇｄ及びＧｅとする。重力Ｇｆ等について、それぞれ、接線方向の分力と、接線と垂直は方向の分力を考える。
【００３７】
位置３００ｆにおいては、鉛直方向に対して、接線３００ｆＬと垂直な方向の角度（以下、「垂直角度」という。）はθｆであり、接線方向の力ＧｆｓはＧｆｓｉｎθｆであり、垂直方向の分力ＧｆｖはＧｆｃｏｓθｆである。力分Ｇｆｖに対して垂直抗力Ｇｆｖｒが作用して釣り合っている。同様に、位置３００ｃにおいては、垂直角度はθｃであり、接線方向の分力ＧｃｓはＧｃｓｉｎθｃであり、垂直方向の分力ＧｃｖはＧｃｃｏｓθｃである。分力Ｇｃｖに対して垂直抗力Ｇｃｖｒが作用して釣り合っている。同様に、位置３００ｄにおいては、垂直角度はθｄであり、接線方向の分力ＧｄｓはＧｄｓｉｎθｄであり、垂直方向の分力ＧｄｖはＧｄｃｏｓθｄである。分力Ｇｄｖに対して垂直抗力Ｇｄｖｒが作用して釣り合っている。本体部２０の端部と接する位置３００ｅにおいては、垂直角度が９０度であるから、重力Ｇｅが作用する。位置３００ｇにおいては重力Ｇｇが作用する。ここで、垂直方向の分力と垂直抗力は釣り合っているから、衣服３００において本体部２０と接する部分については接線方向の分力、位置３００ｅ及び３００ｇにおいては重力を観察する。そうすると、位置３００ｆから端部３００ｅに向かうに連れて、分力Ｇｆｓ、分力Ｇｃｓ、分力Ｇｄｓ、重力Ｇｅ、重力Ｇｇというように、各位置の重力に対する接線方向の力が徐々に大きくなる。すなわち、衣服３００に作用する力が大きく変動する特異位置は存在しない。なお、各位置に作用する重力は、各位置によって異なるが、特異位置が存在しないことに変わりはない。
【００３８】
上述のように、本体部２０の鉛直方向の断面は、長手方向における一定の位置として位置２０ｚまでは、端部に向かうほど大きくなる（図７のＡＡ線断面、ＢＢ線断面及びＣＣ線断面参照）。したがって、位置２０ｚ（図７参照）までは、鉛直方向において、衣服３００と本体部２０との接触面積が大きくなる。このため、本体部２０の上方から、端部に向かうに連れて、各位置の重力に対する接線方向の力が徐々に大きくなるのであるが、各位置において作用する重力は、位置２０ｚまでは端部に向かうにつれてより大きな面積に分散されるから、接線方向の力が徐々に大きくなる程度が抑制される。位置２０ｚを越えて端部に近づくと、衣服３００と本体部２０との接触面積は徐々に小さくなり、各位置において作用する重力が分散される程度は徐々に小さくなる。そして、本体部２０の端部を越えると、衣服３００は本体部２０に接しないから、衣服３００の各部において、それより下方の衣服３００の部分の重力が作用する。このように、ハンガー１は、ハンガー１に吊るされた衣服３００に作用する力が徐々に変動するように構成されており、特異位置は存在しない。
【００３９】
＜＜ハンガー１の内部の構成＞＞
図１０に示すように、本体部２０の内側には、本体部２０の円弧に沿って、一方の肩支持部２０ｂの端部近傍の位置から他方の肩支持部２０ｂの端部近傍の位置へ向かう空間部Ｓ１が形成されている。空間部Ｓ１の体積によって、本体部２０の重量を調整することができる。また、空間部Ｓ１の存在によって、本体部２０を構成するプラスチック樹脂の使用量を低減することができる。特に、本体部２０の断面を所定の数値以上における大きさに形成したとしても、空間部Ｓ１によって、使用するプラスチック樹脂の量を低減することができる。端部近傍とは、端部２０ｅから上方へ所定範囲の位置であり、所定範囲は、例えば、端部２０ｅから上方へ３ミリメートル（ｍｍ）以上３０ミリメートル以下の範囲の範囲であり、望ましくは、５ミリメートル以上２０ミリメートル以下の範囲であり、さらに望ましくは、７ミリメートル以上１０ミリメートル以下の範囲である。
【００４０】
空間部Ｓ１が、一方の肩支持部２０ｂと他方の肩支持部２０ｂとにおいて連続していることによって、本体部２０の全体について、空間部Ｓ１の上方の壁と下方の壁の双方のばね定数が小さくなり、ニット素材の衣服を吊るすための好適な弾性を示す。また、衣服３００をハンガー１に吊るした状態において外力が作用しても、その外力を吸収することができるから、外力の作用による型崩れを防止することができる。
【００４１】
図１０乃至図１２に示すように、本体部２０の全体にわたって、空間部Ｓ１の上方の壁の厚さは、空間部Ｓ１の下方の壁の厚さよりも大きく構成されている。すなわち、衣服が接することによって外力が加わる部分である上方の構造が外力に対する耐性が大きく構成されている。
【００４２】
空間部Ｓ１を画する内壁面２０ｃは、中心部２０ａに対応する領域において、空間部Ｓ１に向かって下方に突出する突出面２０ｄ（図１２参照）を有する。突出面２０ｄに対応する空間部Ｓ１は、狭窄部Ｓ１ａとなっている。突出面２０ｄの上方部を構成する壁の部分に、フック１０を固定することができる。すなわち、本体部２０の円弧形状を維持しつつ、空間部Ｓ１を形成できるから、好適な弾性を得つつ、フック１０を強固に固定することができる。
【００４３】
＜＜ハンガー１の製造方法＞＞
以下、図１３乃至図３１を参照して、本体部２０の製造方法を説明する。
本体部２０を成型するために、本体部２０の形状に対応するキャビティを有する金型を準備する。例えば、上下一対の部分が開閉して、キャビティの開閉を行うのであるが、図１３等においては、説明の便宜のため、金型が閉じてキャビティを形成した状態における内部構造を概念的に示す。本明細書において、金型の内部構造を「金型１００」と呼ぶ。
【００４４】
図１３に示すように、本体部２０の形状に対応する形状のキャビティ１１２を有する金型１００を準備する。金型１００は、キャビティ１１２を２組有する。キャビティ１１２の内側に突出する態様において、軸対応部材１１６が配置されている。軸対応部材１１６は、ハンガー１のフック部１０の軸部に対応する構成である。各キャビティ１１２の両端部近傍に樹脂及び気体を吐出する吐出部１１４が配置されている。
【００４５】
図１４及び図１５に示すように、吐出部１１４は、樹脂吐出管１１４ａの内側に、樹脂吐出管１１４ａと接しない態様において、気体吐出管１１４ｂが配置されている。樹脂吐出管１１４ａからはプラスチック樹脂が吐出され、気体吐出管１１４ｂからは気体が吐出される。気体吐出管１１４ｂの中心位置は、樹脂吐出管１１４ａの内周壁の下方に偏った位置に配置されている。樹脂吐出管１１４ａの内周壁と気体吐出管１１４ｂの外周壁の間は空間Ｓ１１となっており、プラスチック樹脂は空間Ｓ１１を通過して吐出される。気体吐出管１１４ｂの内側は空間Ｓ１２となっており、気体は空間Ｓ１２を通過して吐出される。
【００４６】
図１６に示すように、キャビティ１１２が形成されると、吐出部１１４から矢印Ｘ１乃至Ｘ４に示すように、プラスチック樹脂が吐出される。プラスチック樹脂は、キャビティ１１２の双方の端部近傍部から、軸対応部材１１６が位置する中心部に向かって吐出される。この工程を吐出工程と呼ぶ。吐出工程において、内部に空間を有するパリソンが形成される。そして、図１７に示すように、キャビティ１１２の双方の端部近傍部から吐出されたプラスチック樹脂によって形成されるパリソンは、中心部において一体となる。
【００４７】
上記のように、プラスチック樹脂は、樹脂吐出管１１４ａの内周壁と気体吐出管１１４ｂの外周壁の間を通過して吐出されるから、パリソンの内側において、下方に偏った位置において空間が形成される。キャビティ１１２の双方の端部近傍部から吐出されたプラスチック樹脂によって形成されるパリソンが中心部において一体となるとき、空間部も一体となる。
【００４８】
キャビティ１１２にプラスチック樹脂が吐出されると、プラスチック樹脂が固化する前に、図１８に示すように、吐出部１１４から気体を吐出し、矢印Ｙ１乃至Ｙ４に示すように、パリソン内を通過させる。具体的には、気体はパリソン内の空間を通過する。この工程をブロー工程と呼ぶ。
【００４９】
ブロー工程において吐出される気体は、大気圧よりも高い圧力を有する気体である。気体は、例えば、窒素（Ｎ２）であり、圧力は大気圧の数倍であり、例えば、５気圧である。プラスチック樹脂内を気体が通過することによって、図１９に示すように、プラスチック樹脂が外側に広がり、キャビティ１１２の内面に押し付けられる。これにより、本体部２０の製造が完了する。気体が通過した通路は、本体部２０において、空間部Ｓ１となる。プラスチック樹脂の吐出態様（吐出量）と気体の圧力を調整することによって、空間部Ｓ１の体積を調整することができ、ハンガー１の重量を調整することができる。
【００５０】
なお、気体通路の開口部を構成していた端部近傍部は、プラスチック樹脂の成型後の収縮により、一部または全部が閉鎖される。
【００５１】
図２０乃至図３０を参照して、キャビティ１１２の双方の端部近傍部から吐出されたプラスチック樹脂によって形成されるパリソンが、中心部において一体となる状態を説明する。一方の端部近傍部から吐出されたプラスチック樹脂によって形成されるパリソンをパリソン２００Ａ、他方の端部近傍部から吐出されたプラスチック樹脂によって形成されるパリソンをパリソン２００Ｂとする。
【００５２】
図２０に示すように、パリソン２００Ａ及びパリソン２００Ｂには、一方に偏った空間Ｓ１ｐｒｅが形成されている。空間Ｓ１ｐｒｅの位置は、（ハンガー１を吊るした状態における）下方に偏っている。パリソン２００Ａ及び２００Ｂは、キャビティ１１２の中心部に配置された軸対応部材１１６に向かって互いに接近し、図２１に示すように、軸対応部材１１６の位置において一体となる。このとき、パリソン２００Ａ及び２００Ｂの空間Ｓ１ｐｒｅも一体となる。
【００５３】
図２２乃至図２６は、図２０の矢印Ｆ１方向から視た概念的な断面図である。図２２及び図２３に示すように、パリソン２００Ａ及びパリソン２００Ｂの端部２００ａは、軸対応部材１６に向かって互いに接近し、端部２００ａが軸対応部材１１６に接し、さらに、軸対応部材１１６方向に向かって移動すると、図２４に示すように、軸対応部材１１６の長さ方向に沿った屈曲部２００ｂを形成し、さらに、図２５に示すように、軸対応部材１１６の下部に沿った屈曲部２００ｃを形成する。パリソン２００Ａ及びパリソン２００Ｂが一体となると、軸対応部材１１６がプラスチック樹脂に覆われるとともに、パリソン２００Ａ及びパリソン２００Ｂの空間Ｓ１ｐｒｅが一体となる。
【００５４】
そして、図２６に示すように、矢印Ｙ１及びＹ２に示す方向から空間Ｓ１ｐｒｅに気体が吐出されると、パリソン２００Ａ及び２００Ｂは矢印Ｚ１及びＺ２に示すように、外側の方向に広がり、本体部２０が形成される。
【００５５】
図２７乃至図３０は、図２２のＧＧ線断面図である。図２７及び図２８に示すように、パリソン２００Ａ及びパリソン２００Ｂの端部２００ａは、軸対応部材１１６に向かって互いに接近し、端部２００ａが軸対応部材１１６に接する。パリソン２００Ａ及びパリソン２００Ｂが、さらに、軸対応部材１１６方向に向かって移動すると、図２９に示すように、軸対応部材１１６の軸部に沿って屈曲し、さらに、図３０に示すように、軸対応部材１１６を覆う。
【００５６】
以下、図３１を参照して、本体部２０の製造方法を概括する。まず、金型を閉鎖し、本体部２０の形状を有するキャビティ１１２を形成する（図３１のステップＳＴ１）。続いて、キャビティ１１２にプラスチック樹脂を吐出する（ステップＳＴ２）。続いて、キャビティ１１２に吐出したプラスチック樹脂が固化する前に、プラスチック樹脂に大気圧よりも高い圧力を有する気体を通過させ、空間部Ｓ１を形成する（ステップＳＴ３）。ステップＳＴ３において、プラスチック樹脂がキャビティに押し付けられ、本体部２０の製造が完了する。最後に、金型を開放する（ステップＳＴ４）。
【００５７】
本実施形態とは異なり、中心角θ１に対して、追加角度θ１’を規定し、中心角θ１とθ１’の合計の角度が、１８０度を超えて３６０度以下の範囲になるように規定するようにしてもよい。また、本発明と類似の発明の実施形態として、本実施形態と基本的に同一の構成において、空間Ｓ１については、中心部２０ａにおいて、連続していないものとして構成してもよい。この場合、本体部２０は、ばね定数が相対的に大きくなるが、製造方法は容易になる。
【００５８】
＜第二の実施形態＞
次に、図３２乃至図３８を参照して、第二の実施形態について説明する。なお、第一の実施形態と共通する構成については説明を省略し、第一の実施形態と異なる部分を中心に説明する。
【００５９】
図３２乃至図３５に示すように、第二の実施形態のハンガー１Ａの本体部２２は、中心部２２ａと、肩支持部２２ｂ１及び２２ｂ２で構成される。
【００６０】
図３６に示すように、本体部２２の円弧の曲率半径は、中心部２２ａを含む領域における曲率半径である第一曲率半径Ｒ２と、端部を含む領域である肩支持部２２ｂにおける曲率半径である第二曲率半径Ｒ３とで構成されている。中心部２２ａを含む領域は中心部２２ａ及び肩支持部２２ｂ１である。
【００６１】
第一曲率半径Ｒ２は、第二曲率半径Ｒ３よりも所定の許容範囲だけ大きい半径として規定されている。第一曲率半径Ｒ２と第二曲率半径Ｒ３の相違が大きい場合には、肩支持部２２ｂ１と２２ｂ２との境界部において、吊るした衣服３００に作用する力の変動が大きくなり、特異位置となるからである。所定の許容範囲は、第一曲率半径Ｒ２が、第二曲率半径Ｒ３に対して、１倍よりも大きく、１．２倍以下の範囲であり、望ましくは、１倍よりも大きく１．１５倍よりも小さく、さらに望ましくは、１倍よりも大きく１．１４倍よりも小さい範囲である。本実施形態において、第一曲率半径Ｒ２は２１．５センチメートルであり、第二曲率半径Ｒ３は１９センチメートルであり、第一曲率半径Ｒ２は第二曲率半径Ｒ３の１．１３倍である。
【００６２】
第一曲率半径Ｒ２の円弧の中心角θ２は鈍角として規定されている。本実施形態において、中心角θ２は１１０度である。
【００６３】
肩支持部２２ｂ２の端部の接線が鉛直方向となるように、曲率半径Ｒ３に対する中心角θ３が規定される。
【００６４】
図３７及び図３８に示すように、衣服３００をハンガー１Ａに吊るすと、第一の実施形態のハンガー１と同様に、衣服３００に作用する力が大きく変動する位置である特異位置は存在しない。さらに、本体部２０における上方の輪郭を形成する円弧の曲率半径が相対的に大きいから、衣服３００の首部から肩部にかけて、作用する力の変動が、第一の実施形態に比べて小さくなっている。
【００６５】
具体的には、位置３００ｆにおいては、垂直角度はθｆ’であり、接線方向の分力Ｇｆｓ’はＧｆｓｉｎθｆ’であり、垂直方向の分力Ｇｆｖ’はＧｆｃｏｓθｆ’である。分力Ｇｆｖ’に対して垂直抗力Ｇｆｖｒ’が作用して釣り合っている。同様に、位置３００ｈにおいては、垂直角度はθｈ’であり、接線方向の分力Ｇｈｓ’はＧｈｓｉｎθｈ’であり、垂直方向の分力Ｇｈｖ’はＧｈｃｏｓθｈ’である。力Ｇｈｖ’に対して垂直抗力Ｇｈｖｒ’が作用して釣り合っている。ここで、第一曲率半径Ｒ２は、第二曲率半径Ｒ３よりも所定の許容範囲における数値だけ大きいから、接線方向の力Ｇｆｓ’と力Ｇｈｓ’の相違は小さい。
【００６６】
＜第三の実施形態＞
次に、図３９及び図４０を参照して、第三の実施形態について説明する。なお、第一の実施形態及び第二の実施形態と共通する構成については説明を省略し、第一の実施形態及び第二の実施形態と異なる部分を中心に説明する。
【００６７】
図３９及び図４０に示すように、第三の実施形態のハンガー１Ｂの本体部２４が形成する円弧は、楕円の円弧である。
【００６８】
図４０に示すように、楕円Ｃ３の中心位置は点Ｑ３である。楕円Ｃ３は長径Ｒ４、短径Ｒ５を有する。長径Ｒ４と短径Ｒ５の相違は、所定範囲内に制限されている。長径Ｒ４は短径Ｒ５に対して、１倍よりも大きく、１．２倍以下の範囲であり、望ましくは、１倍よりも大きく１．１５倍よりも小さく、さらに望ましくは、１倍よりも大きく１．１４倍よりも小さい範囲において規定される。
【００６９】
第三の実施形態のハンガー１Ｂは、衣服３００を吊るした場合に、衣服３００における上方部に作用する力の変動が特に小さく、全体としても、特異位置は存在しない。
【００７０】
また、図４１に示すように、型崩れした部分３００ｚを有する衣服３００をハンガー１Ｂに吊るすと、図４２に示すように、部分３００ｚは、本体部２４には接しないから、部分３００ｚに対する重力Ｇ１０が作用する。部分３００ｚは、重力Ｇ１０の作用により、時間が経過するに連れて本体部２４に接近し、図４３に示すように、本体部２４に接すると、重力Ｇ１０に対する反力Ｇ１０ｒが作用し、釣り合う。この状態において、部分３００ｚの変形は停止し、衣服３００の型崩れが修復される。
【００７１】
上記のように、ハンガー１Ｂによって、衣服３００の型崩れが修復される。このことは、第一の実施形態のハンガー１及び第二の実施形態のハンガー１Ａにおいても同様である。
【００７２】
＜本発明の実施品＞
図４４は、第二の実施形態のハンガー１Ａの本体部２２の実施品を長手方向に沿って鉛直方向に切断したものである。図４４に示すように、本体部２２の内部には、一方の端部近傍から他方の端部近傍を結ぶ空間部Ｓ１が形成されている。空間部Ｓ１の全体にわたって、上方の壁が下方の壁よりも厚い。そして、空間部Ｓ１を画する内周壁２２ｃは、中央部において空間部Ｓ１の方向に突出する突出面２２ｄを有する。
【００７３】
なお、本発明は本実施形態に限定されるものではなく、本発明の目的を達成できる範囲での変形、改良等は本発明に含まれるものである。例えば、上述の第一の実施形態乃至第三の実施形態の構成を、適宜、組み合わせてもよい。
【符号の説明】
【００７４】
１，１Ａ，１Ｂ    衣服用ハンガー
１０    フック部
２０，２２，２４    本体部
Ｓ１  空間部
【要約】
本発明は、ニット製の素材で作られる衣服を吊るしても、型崩れしにくく、かつ、環境へ与える影響を低減することができる、衣服用ハンガー及び衣服用ハンガーの製造方法を提供することを目的とする。衣服用ハンガー１の本体部２０は、断面が所定の直径を有する円柱状部材で構成され、円柱状部材は、フック部１０が固定される中心部と、中心部に対して対称に形成される一対の肩支持部を有し、円柱状部材の外側の輪郭は、正面視において、中心部が肩支持部に対して突出することなく、中心部と一対の肩支持部が所定の曲率半径を有する円弧を形成している。円弧の長さを規定する中心角は、鈍角として規定されており、円弧の曲率半径は、中心角における前記円弧の長さが所定サイズの衣服の背肩幅よりも長い所定範囲の長さとなる所定の半径として規定されている。円柱状部材の内側において、円弧に沿って、一方の肩支持部の端部近傍から、他方の肩支持部の端部近傍を結ぶ空間部が形成されており、円柱状部材の全体にわたって、空間部の上方の壁の厚さは、空間部の下方の壁の厚さよりも大きく構成されており、空間部を画する内壁面は、中心部に対応する領域において、空間部に向かって突出する突出面を有する。【図１】
0006822721.tif 000002
【図２】
0006822721.tif 000003
【図３】
0006822721.tif 000004
【図４】
0006822721.tif 000005
【図５】
0006822721.tif 000006
【図６】
0006822721.tif 000007
【図７】
0006822721.tif 000008
【図８】
0006822721.tif 000009
【図９】
0006822721.tif 000010
【図１０】
0006822721.tif 000011
【図１１】
0006822721.tif 000012
【図１２】
0006822721.tif 000013
【図１３】
0006822721.tif 000014
【図１４】
0006822721.tif 000015
【図１５】
0006822721.tif 000016
【図１６】
0006822721.tif 000017
【図１７】
0006822721.tif 000018
【図１８】
0006822721.tif 000019
【図１９】
0006822721.tif 000020
【図２０】
0006822721.tif 000021
【図２１】
0006822721.tif 000022
【図２２】
0006822721.tif 000023
【図２３】
0006822721.tif 000024
【図２４】
0006822721.tif 000025
【図２５】
0006822721.tif 000026
【図２６】
0006822721.tif 000027
【図２７】
0006822721.tif 000028
【図２８】
0006822721.tif 000029
【図２９】
0006822721.tif 000030
【図３０】
0006822721.tif 000031
【図３１】
0006822721.tif 000032
【図３２】
0006822721.tif 000033
【図３３】
0006822721.tif 000034
【図３４】
0006822721.tif 000035
【図３５】
0006822721.tif 000036
【図３６】
0006822721.tif 000037
【図３７】
0006822721.tif 000038
【図３８】
0006822721.tif 000039
【図３９】
0006822721.tif 000040
【図４０】
0006822721.tif 000041
【図４１】
0006822721.tif 000042
【図４２】
0006822721.tif 000043
【図４３】
0006822721.tif 000044
【図４４】
0006822721.tif 000045
【図４５】
0006822721.tif 000046
【図４６】
0006822721.tif 000047